(57)【要約】【課題】ＯＡ機器などでＴＶなどの放送を視聴する場合に新たに必要となる選局手段について、チャネルの数分、ボタン等の入力系が必要になり、ファイルを選択する入力系のみを持つ既存のメディア再生ソフトウエア上では実現が難しい。また、ユーザーの使い勝手が悪い。【解決手段】ファイル選択部１によって選択されたファイルの情報を解析し放送方式および選局先を決定するファイル識別部３と、ファイル識別部３によって決定された放送方式および選局先に基づいて外部からの放送信号をチューニングする選局部４と、選局部４によってチューニングされて入力される放送信号のデータを放送方式のフォーマットに対応して復号化する複数のデータ復号化手段を持つ再生制御部６と、再生制御部６に対して複数のデータ復号化手段の中からファイル識別部３によって決定された放送方式に適したデータ復号化手段を選択させる再生手順制御部７とを具備する。【選択図】図１
2007116223.tif 000002
【特許請求の範囲】
【請求項１】
ファイルを選択するステップと、
選択された前記ファイルの情報を解析し放送方式および選局先を決定するステップと、
決定された前記放送方式および選局先に基づいて外部からの放送信号をチューニングするステップと、
チューニングされて入力される前記放送信号のデータを決定された前記放送方式のフォーマットに対応して復号化するステップと、
復号化された信号を出力するステップとを含む放送受信方法。
【請求項２】
ファイルを選択するファイル選択部と、
前記ファイル選択部によって選択されたファイルの情報を解析し放送方式および選局先を決定するファイル識別部と、
前記ファイル識別部によって決定された前記放送方式および選局先に基づいて外部からの放送信号をチューニングする選局部と、
前記選局部によってチューニングされて入力される前記放送信号のデータを決定された前記放送方式のフォーマットに対応して復号化する複数のデータ復号化手段を持つ再生制御部と、
複数の前記データ復号化手段のうちで、前記ファイル識別部によって決定された前記放送方式に適したデータ復号化手段を選択する再生手順制御部とを具備した放送受信装置。
【請求項３】
前記選局部は、複数の放送方式の受信に対応し、
前記ファイル識別部は、ファイルの情報を解析して決定される放送方式および選局先からの放送信号に対してチューニングを行うように前記選局部を制御する請求項２に記載の放送受信装置。
【請求項４】
前記ファイル識別部は、ファイルの情報と、前記情報を解析し決定される放送方式および選局先とを関連付けした読み書き可能なデータベースを持つ請求項２または請求項３に記載の放送受信装置。
【請求項５】
前記ファイル識別部は、選択されたファイルの存在するディレクトリ情報を解析し放送方式および選局先を決定する手段を持つ請求項２から請求項４までのいずれかに記載の放送受信装置。
【請求項６】
前記ファイル識別部は、選択されたファイルの情報を解析し放送信号の付加情報を識別する手段を持つ請求項２から請求項５までのいずれかに記載の放送受信装置。
【請求項７】
前記ファイル識別部は、ファイルが選択される頻度により視聴する放送方式および選局先を決定する請求項２から請求項６までのいずれかに記載の放送受信装置。
【請求項８】
前記ファイル識別部は、前記選局部が現在受信可能な選局先毎にファイルを作成し、前記ファイルは前記選局先を識別することが可能な形式である請求項２から請求項７までのいずれかに記載の放送受信装置。
【発明の詳細な説明】
【技術分野】
【０００１】
本発明は放送受信方法および放送受信装置にかかわり、詳しくは、ＯＡ機器や家電機器といった各種機器において、テレビやラジオなどの放送を選局する技術に関するものである。
【背景技術】
【０００２】
近年、パーソナルコンピュータなどのＯＡ機器や家電製品にもメディア再生用ソフトウエアが搭載されるようになってきた。このメディア再生用ソフトウエアは、映像、音声その他のデジタルデータを含む複数フォーマットのストリーム列を対象として、その復号化および再生を行うためのものである。その代表例として、マイクロソフト社製のＷｉｎｄｏｗｓ(登録商標）Ｍｅｄｉａ  Ｐｌａｙｅｒが挙げられる。このソフトウエアでは、映像、音声その他のデジタルデータを含むストリーム列のフォーマットの種類を識別する必要がある。フォーマット種類の識別手段として、ストリーム列をファイルとして入力し、そのファイル名に付加される拡張子によって識別したり、あるいはストリーム列のヘッダ解析によって識別したりする。そして、識別結果のフォーマット種類に対応した再生制御を行い、入力されたストリーム列の再生を実現している（例えば、特許文献１参照）。
【０００３】
テレビやラジオなどの放送を選局し視聴するタイプでは、選局手段を搭載する。この場合、選局可能なチャネル分、ボタン等の入力系が必要である。
【特許文献１】特開２００３−１５２５４６号公報（第６−８頁、第１−２図）
【発明の開示】
【発明が解決しようとする課題】
【０００４】
上記の従来の技術においては、メディア再生用ソフトウエアに対して、テレビやラジオなどの放送を選局し視聴する機能を追加する場合、ファイルの入力系のみを持つソフトウエアに選局可能なチャネル分の入力系を追加しなければならず、ソフトウエアの構造が複雑化してしまう。
【０００５】
また、扱い方の異なる入力系が混在することになり、ユーザーの使い勝手も悪くなってしまうという問題がある。
【０００６】
本発明は、上記問題を解決し、メディア再生用ソフトウエアに対して、テレビやラジオなどの放送を選局し視聴する機能を簡単に追加し、かつユーザーの使い勝手を低下させないようにすることを目的とする。
【課題を解決するための手段】
【０００７】
本発明による放送受信方法は、
ファイルを選択するステップと、
選択された前記ファイルの情報を解析し放送方式および選局先を決定するステップと、
決定された前記放送方式および選局先に基づいて外部からの放送信号をチューニングするステップと、
チューニングされて入力される前記放送信号のデータを決定された前記放送方式のフォーマットに対応して復号化するステップと、
復号化された信号を出力するステップとを含むものである。
【０００８】
この放送受信方法においては、ユーザー操作によりファイルを選択すると、選択されたファイルの情報から放送方式と選局先が決定され、その放送方式と選局先に従って放送信号がチューニングされ、入力される放送信号のデータが前記の決定された放送方式のフォーマットに対応して復号化され、復号化された信号がモニタやスピーカなどに出力され、視聴が行われる。
【０００９】
本発明による放送受信装置は、
ファイルを選択するファイル選択部と、
前記ファイル選択部によって選択されたファイルの情報を解析し放送方式および選局先を決定するファイル識別部と、
前記ファイル識別部によって決定された前記放送方式および選局先に基づいて外部からの放送信号をチューニングする選局部と、
前記選局部によってチューニングされて入力される前記放送信号のデータを決定された前記放送方式のフォーマットに対応して復号化する複数のデータ復号化手段を持つ再生制御部と、
複数の前記データ復号化手段のうちで、前記ファイル識別部によって決定された前記放送方式に適したデータ復号化手段を選択する再生手順制御部とを具備した構成となっている。
【００１０】
上記において、前記選局部は、複数の放送方式の受信に対応し、前記ファイル識別部は、ファイルの情報を解析して決定される放送方式および選局先からの放送信号に対してチューニングを行うように前記選局部を制御するものとする。
【００１１】
この構成において、ファイル選択部はユーザー操作によりファイルを選択し、ファイル識別部は選択されたファイルの情報から放送方式と選局先を決定し、選局部は決定された放送方式と選局先に従って放送信号をチューニングする。ファイル識別部が決定した放送方式は再生手順制御部に与えられ、再生手順制御部は、複数のデータ復号化手段のうちで前記の決定された放送方式に適したデータ復号化手段を選択するように制御し、再生制御部は選択したデータ復号化手段を用いて受信の放送信号を復号化する。
【００１２】
これによれば、テレビ、ラジオその他の放送を選局し視聴することを想定していないメディア再生用ソフトウエアでも、ファイルを選択すれば、そのファイルの情報によって選局先が識別され、放送の選局が可能になる。したがって、そのソフトウエアに選局可能なチャネル分の入力系を追加する必要がなく、放送を視聴する機能を簡単に実現することが可能になる。ユーザーは既存のメディア再生ソフトウエアの扱い方と同様にファイルを選択するだけでよく、使い勝手を低下させないで済む。
【００１３】
上記において、前記ファイル識別部は、ファイルの情報と、前記情報を解析し決定される放送方式および選局先とを関連付けした読み書き可能なデータベースを持つという態様がある。これによれば、将来、放送方式や放送局が増減しても、ファイルの情報と放送方式および選局先とを対応付けするデータベースを書き換えることにより、対応することが可能になる。
【００１４】
また、上記において、前記ファイル識別部は、選択されたファイルの存在するディレクトリ情報を解析し放送方式および選局先を決定する手段を持つという態様がある。これによれば、選択されたファイルの存在するディレクトリ情報を解析し放送方式および選局先を決定することで、ディレクトリ毎に放送方式の地域管理や選局先リストの管理が可能になる。
【００１５】
また、上記において、前記ファイル識別部は、選択されたファイルの情報を解析し放送信号の付加情報を識別する手段を持つという態様がある。これによれば、選択されたファイルの情報を解析することで、ＥＰＧ（電子番組ガイド）や２カ国語放送、字幕放送などの付加情報を管理することが可能になる。
【００１６】
また、上記において、前記ファイル識別部は、ファイルが選択される頻度により視聴する放送方式および選局先を決定するという態様がある。これによれば、ファイルの選択頻度により放送方式および選局先を決定するので、ユーザーの嗜好に合った放送方式および選局先を容易に設定することが可能となる。例えば、メディア再生用ソフトウエアの起動時に、ユーザー嗜好番組を自動的に選局することが可能になり、利便性が向上する。
【００１７】
また、上記において、前記ファイル識別部は、前記選局部が現在受信可能な選局先毎にファイルを作成し、前記ファイルは前記選局先を識別することが可能な形式であるという態様がある。これによれば、現在受信可能な選局先を検索し、受信可能と判明した選局先毎に識別することが可能な形式でファイルを作成することにより、現在ユーザーが居る地域で受信可能な選局先が不明でも、受信可能な選局先をファイルとしてリスト化し、以後、そのファイルを選択することで選局が可能になる。
【発明の効果】
【００１８】
本発明によれば、テレビ、ラジオその他の放送を選局し視聴することを想定していないメディア再生用ソフトウエアでも、ファイルを選択すれば、そのファイルの情報によって選局先が識別され、放送の選局が可能になる。したがって、そのソフトウエアに選局可能なチャネル分の入力系を追加する必要がなく、放送を視聴する機能を簡単に実現することが可能になる。加えて、ユーザーは既存のメディア再生ソフトウエアの扱い方と同様にファイルを選択するだけでよく、使い勝手を低下させないで済む。
【発明を実施するための最良の形態】
【００１９】
以下、本発明にかかわる放送受信装置の実施の形態を図面に基づいて詳細に説明する。
【００２０】
（実施の形態１）
本発明の実施の形態１における放送受信装置について、図１〜図６を用いて説明する。図１は実施の形態１における放送受信装置の構成を示すブロック図である。図１において、１はファイル選択部、２はファイル入力部、３はファイル識別部、４は選局部、５は信号入力部、６は再生制御部、７は再生手順制御部、８はビデオ出力部、９はオーディオ出力部、１０は放送方式対応テーブル、１１はワンセグＤＴＶ用選局対応テーブル、１２はＦＭラジオ用選局対応テーブル、１３は再生制御対応テーブルである。
【００２１】
ファイル選択部１は、メモリまたはネットワーク上に存在するファイルをユーザーが選択することを可能にし、選択されたファイルのファイル名および拡張子を取得する役目を持つ。
【００２２】
ファイル入力部２は、ファイル選択部１によって選択されたファイルの中身を取得し、ファイル識別部３に渡す。
【００２３】
ファイル識別部３は、ファイル選択部１によりユーザーが選択したファイルのファイル名および拡張子を取得する。
【００２４】
選局部４は、放送方式対応テーブル１０の放送方式列に存在する各放送方式を無線または有線を介して受信する役目を持つ。
【００２５】
ファイル識別部３は、放送方式対応テーブル１０をチェックし、取得した拡張子が拡張子列に存在すれば、その拡張子に対応する放送方式を決定し、その放送方式を受信するように選局部４を制御する。ファイル識別部３は、さらに、決定された放送方式に対応する選局対応テーブル１１または１２をチェックし、取得したファイル名がファイル名列に存在すれば、そのファイル名に対応する選局先（チャネルや周波数など）を決定し、その選局先に対してチューニングを行うように選局部４を制御する。
【００２６】
信号入力部５は、選局部４によりチューニングされた放送信号を受け取り、必要であれば決定された放送方式に対応してデジタルデータに変換したり、ビデオデータとオーディオデータに分割したりする役目を持つ。
【００２７】
再生制御部６は、信号入力部５から放送信号のデータを受け取り、各放送方式のフォーマットに対応してそれぞれ復号化する複数のデータ復号化手段を持つ。
【００２８】
再生手順制御部７は、ファイル識別部３から決定された放送方式を受け取り、再生制御対応テーブル１３をチェックし、決定された放送方式に対応するデータ復号化手段を決定する。そして、再生制御部６に対して決定されたデータ復号化手段を動作させるように制御する役目を持つ。
【００２９】
ビデオ出力部８は、再生制御部６より復号化されたビデオデータを取得し、ＴＶモニタ等にビデオ出力する役目を持つ。
【００３０】
オーディオ出力部９は、再生制御部６より復号化されたオーディオデータを取得し、スピーカ等にオーディオ出力する役目を持つ。
【００３１】
図２に、拡張子と放送方式を関連付けるための放送方式対応テーブル１０の一例を示す。また、図３に、ファイル名と選局先を関連付けるためのワンセグＤＴＶ用選局対応テーブル１１とＦＭラジオ用選局対応テーブル１２の一例を示す。なお、選局対応テーブルは放送方式対応テーブル１０に存在する放送方式毎に存在する。また、図４に、放送方式とデータ復号化手段を関連付けるための再生制御対応テーブル１３の一例を示す。
【００３２】
次に、上記のように構成された本実施の形態の放送受信装置の動作を図５のフローチャートに従って説明する。ここで、具体的な動作説明のために、図６に示すファイルを使用するものとする。このファイルの拡張子は「１ＳＥＧ」、ファイル名は「２」となっている。拡張子が放送方式に対応していないときは、標準のメディア再生用ソフトウエアと同様に、ファイルの中身をストリーム列として扱い、拡張子に基づいてデータ復号化手段を判断し、そのストリーム列の再生を行う。
【００３３】
まず、ステップＳ１において、ファイル選択部１は、ユーザー操作により図６に示すファイルを選択し、そのファイル名「２」と拡張子「１ＳＥＧ」を取得する。さらにファイル入力部２は、選択されたファイルの中身を取得し、ファイル識別部３にその情報を伝える。
【００３４】
次いでステップＳ２において、ファイル識別部３は、拡張子の「１ＳＥＧ」が放送方式対応テーブル１０の拡張子列に存在するか否かを確認する。存在しないときはステップＳ３に進み、存在するときはステップＳ８に進む。
【００３５】
ステップＳ３において、拡張子「１ＳＥＧ」がデータ復号化手段に存在するか否かをチェックする。存在しないときは、ステップＳ５に進んで、エラー処理を行った上で動作を終了する。一方、存在するときは、ステップＳ４に進み、ファイルの中身がデータ復号化手段に一致するか否かをチェックする。不一致のときは、ステップＳ５に進んで、エラー処理を行った上で動作を終了する。一方、一致するときは、ステップＳ６に進んで、デコード方式に合う再生制御を構築し、ステップＳ７に進んで、再生を開始する。
【００３６】
また、ステップＳ２において、拡張子「１ＳＥＧ」が放送方式対応テーブル１０の拡張子列に存在するときは、ステップＳ８に進み、拡張子「１ＳＥＧ」に対応する放送方式であるワンセグＤＴＶ（携帯機器向けデジタルテレビの通称）を受信するように選局部４を制御する。
【００３７】
次いでステップＳ９において、ファイル識別部３は、ワンセグＤＴＶ用選局対応テーブル１１を参照し、ファイル名「２」がファイル名列に存在することを確認する。そしてファイル名「２」に対応する選局先であるチャネル２をチューニングするように選局部４を制御する。
【００３８】
次いでステップＳ１０において、選局部４は、ファイル識別部３から制御を受け、ワンセグＤＴＶ放送を受信し、チャネル２をチューニングするように動作する。
【００３９】
次いでステップＳ１１において、再生手順制御部７は、ファイル識別部３からワンセグＤＴＶ放送を受信することを受け取り、ワンセグＤＴＶ放送が再生制御対応テーブル１３の放送方式列に存在することを確認する。そして、ワンセグＤＴＶ放送に対応したデータ復号化手段であるＨ.２６４フォーマットのデコードおよびＭＰＥＧ２−ＡＡＣフォーマットのデコードを動作させるように再生制御部６を制御する。信号入力部５は、選局部４からチューニングされたワンセグＤＴＶ放送のトランスポートストリームを受け取り、Ｈ.２６４フォーマットのビデオデータとＭＰＥＧ２−ＡＡＣフォーマットのオーディオデータに分割し、再生制御部６に渡す。
【００４０】
次いでステップＳ１２において、再生制御部６は、ビデオデータとオーディオデータを受け取り、それぞれデコード処理を実行する。ビデオ出力部８は、再生制御部６からデコードされたビデオデータを受け取り、オーディオ出力部９と同期を取りながらＴＶモニタに出力する。オーディオ出力部９は、再生制御部６からデコードされたオーディオデータを受け取り、ビデオ出力部８と同期を取りながらスピーカに出力する。
【００４１】
以上の手順により、図６に示す「２．１ＳＥＧ」という名前のファイルを選択することで、ワンセグＤＴＶ放送のチャネル２を視聴することと解釈し、その放送を視聴することができる。
【００４２】
以上のように、本実施の形態によれば、ファイルを選択することを通じてファイル名や拡張子などのファイル情報を利用し、ユーザーが視聴したい放送方式および選局先の決定を実現している。これにより、既存のメディア再生ソフトウエアでテレビやラジオなどの放送を視聴する機能を実現するに際して、そのソフトウエアに選局可能なチャネル分の入力系を追加する必要がなく、放送を視聴する機能を簡単に実現することが可能になる。
【００４３】
さらに、ユーザーは既存のメディア再生ソフトウエアの扱い方と同様にファイルを選択するだけでよく、ユーザーの使い勝手を低下させないで済むことになる。
【００４４】
また、放送方式対応テーブル１０に新たな拡張子とその拡張子に対応する新たな放送方式を書き加えることにより、新たな放送方式の受信を選択することが可能になる。逆に、放送方式対応テーブル１０の既存の拡張子とその拡張子に対応する放送方式を削除することにより、以降、その放送方式の受信を禁止することが可能になる。
【００４５】
また、選局対応テーブル１１に新たなファイル名と新たな選局先を書き加えることにより、新たな選局先からの放送信号の受信を選択することが可能になる。逆に、選局対応テーブル１１の既存のファイル名とそのファイル名に対応する選局先を削除することにより、以降、その選局先からの放送信号の受信を禁止することが可能になる。
【００４６】
これにより、将来、放送方式や選局先の放送局が増減しても、ファイルの情報と、その情報を解析し決定される放送方式および選局先とを対応付けしたデータベースを書き換えることで対応が可能になる。
【００４７】
なお、本実施の形態では、ファイルの拡張子で放送方式を決定しファイル名で選局先を決定しているが、本発明は、その方法に限定されるものではなく、ファイルに付加する情報から同様の目的が達せられるなら、どのようなものであってもよい。
【００４８】
（実施の形態２）
次に、本発明の実施の形態２における放送受信装置について説明する。本実施の形態においては、実施の形態１の図１、図３、図４が援用される。図７は、本実施の形態において、ディレクトリと放送方式を関連付けるための放送方式対応テーブル１４を示す。
【００４９】
図１に示すファイル選択部１は、メモリまたはネットワーク上に存在するファイルをユーザーが選択することを可能にし、選択されたファイルのファイル名およびファイルの存在するディレクトリ名を取得する役目を持つ。
【００５０】
ファイル識別部３は、ファイル選択部１よりユーザーが選択したファイルのファイル名およびそのファイルの存在するディレクトリ名を取得する。
【００５１】
選局部４は、放送方式対応テーブル１４の放送方式列に存在する各放送方式を無線または有線を介して受信する役目を持つ。
【００５２】
ファイル識別部３は、放送方式対応テーブル１４をチェックし、取得したディレクトリ名がディレクトリ列に存在すれば、そのディレクトリ名に対応する放送方式を決定し、その放送方式を受信するように選局部４を制御する。ファイル識別部３は、さらに、決定された放送方式に対応する選局対応テーブル１１または１２をチェックし、取得したファイル名がファイル名列に存在すれば、そのファイル名に対応する選局先（チャネルや周波数など）を決定し、その選局先に対してチューニングを行うように選局部４を制御する。
【００５３】
以後、実施の形態１と同様に信号入力部５、再生制御部６、再生手順制御部７、ビデオ出力部８、オーディオ出力部９が動作する。
【００５４】
次に、上記のように構成された本実施の形態の放送受信装置の動作を図８のフローチャートに従って説明する。ここで、具体的な動作説明のために、図９に示すファイルおよびディレクトリを使用するものとする。図９によればファイルの存在するディレクトリは「１ＳＥＧ」、ファイルは「１」、「２」、「３」の３種類が存在する中で、「２」というファイルが選択されたこととして説明する。選択したファイルの存在するディレクトリが放送方式に対応していないときは、標準のメディア再生用ソフトウエアと同様に、ファイルの中身をストリーム列として扱い、拡張子に基づいてデータ復号化手段を判断し、そのストリーム列の再生を行う。
【００５５】
まず、ステップＳ２１において、ファイル選択部１は、ユーザー操作により図９に示す「１ＳＥＧ」という名前のディレクトリ内に存在する「２」という名前のファイルを選択し、そのファイル名「２」とディレクトリ名「１ＳＥＧ」を取得し、ファイル識別部３にその情報を伝える。
【００５６】
次いでステップＳ２２において、ファイル識別部３は、ディレクトリ名の「１ＳＥＧ」が放送方式対応テーブル１４のディレクトリ列に存在するか否かを確認する。存在しないときはステップＳ２３に進み、存在するときはステップＳ２８に進む。
【００５７】
ステップＳ２３において、拡張子「１ＳＥＧ」がデータ復号化手段に存在するか否かをチェックする。存在しないときは、ステップＳ２５に進んで、エラー処理を行った上で動作を終了する。一方、存在するときは、ステップＳ２４に進み、ファイルの中身がデータ復号化手段に一致するか否かをチェックする。不一致のときは、ステップＳ２５に進んで、エラー処理を行った上で動作を終了する。一方、一致するときは、ステップＳ２６に進んで、デコード方式に合う再生制御を構築し、ステップＳ２７に進んで、再生を開始する。
【００５８】
また、ステップＳ２２において、ディレクトリ名「１ＳＥＧ」が放送方式対応テーブル１４のディレクトリ列に存在するときは、ステップＳ２８に進み、拡張子「１ＳＥＧ」に対応する放送方式であるワンセグＤＴＶを受信するように選局部４を制御する。
【００５９】
次いでステップＳ２９において、ファイル識別部３は、ワンセグＤＴＶ用選局対応テーブル１１を参照し、ファイル名「２」がファイル名列に存在することを確認する。そしてファイル名「２」に対応する選局先であるチャネル２をチューニングするように選局部４を制御する。
【００６０】
次いでステップＳ３０において、選局部４は、ファイル識別部３から制御を受け、ワンセグＤＴＶ放送を受信し、チャネル２をチューニングするように動作する。
【００６１】
次いでステップＳ３１において、再生手順制御部７は、ファイル識別部３からワンセグＤＴＶ放送を受信することを受け取り、ワンセグＤＴＶ放送が再生制御対応テーブル１３の放送方式列に存在することを確認する。そして、ワンセグＤＴＶ放送に対応したデータ復号化手段であるＨ.２６４フォーマットのデコードおよびＭＰＥＧ２−ＡＡＣフォーマットのデコードを動作させるように再生制御部６を制御する。信号入力部５は、選局部４からチューニングされたワンセグＤＴＶ放送のトランスポートストリームを受け取り、Ｈ.２６４フォーマットのビデオデータとＭＰＥＧ２−ＡＡＣフォーマットのオーディオデータに分割し、再生制御部６に渡す。
【００６２】
次いでステップＳ３２において、再生制御部６は、ビデオデータとオーディオデータを受け取り、それぞれデコード処理を実行する。ビデオ出力部８は、再生制御部６からデコードされたビデオデータを受け取り、オーディオ出力部９と同期を取りながらＴＶモニタに出力する。オーディオ出力部９は、再生制御部６からデコードされたオーディオデータを受け取り、ビデオ出力部８と同期を取りながらスピーカに出力する。
【００６３】
以上の手順により、図９に示す「１ＳＥＧ」という名前のディレクトリ内に存在する「２」という名前のファイルを選択することで、ワンセグＤＴＶ放送のチャネル２を視聴することと解釈し、その放送の視聴を可能にしている。
【００６４】
以上のように、本実施の形態によれば、ファイル名やディレクトリ情報を利用することで、ユーザーが視聴したい放送方式の選択を実現している。これにより、既存のメディア再生ソフトウエアでテレビやラジオなどの放送を視聴する機能を実現するに際して、そのソフトウエアに選局可能なチャネル分の入力系を追加する必要がなく、放送を視聴する機能を簡単に実現することが可能になる。
【００６５】
さらに、ユーザーは既存のメディア再生ソフトウエアの扱い方と同様にファイルを選択するだけでよく、ユーザーの使い勝手を低下させないで済むことになる。
【００６６】
さらに、ディレクトリ毎に放送方式の地域管理や選局先リストの管理が可能になる。
【００６７】
なお、本実施の形態では、ファイルの存在するディレクトリで放送方式を決定しファイル名で選局先を決定しているが、本発明は、その方法に限定されるものではなく、ディレクトリおよびファイルに付加する情報から同様の目的が達せられるなら、どのようなものであってもよい。
【００６８】
（実施の形態３）
次に、本発明の実施の形態３における放送受信装置について説明する。本実施の形態においては、実施の形態１の図１〜図６が援用される。
【００６９】
図１０は、実施の形態３におけるファイルの中身の構成を示している。ファイルの中身をファイルヘッダ＃１とファイルヘッダ＃２の部分に分けて管理する。図１０では、ファイルヘッダ＃１がファイルの中身の上位３バイト、ファイルヘッダ＃２がその後の２バイト分確保しているが、本発明では、このようなバイト数に限定するものではない。
【００７０】
図１１は、ファイルヘッダ＃１の記述と、それに対応する付加情報の種類を関連付けるための付加情報区別テーブル１５の一例を示す。図１２は、付加情報の種類別に存在する付加情報詳細テーブル１６〜１８の一例を示す。１６は２カ国語放送用付加情報詳細テーブル、１７は字幕放送用付加情報詳細テーブル、１８は番組ＵＲＬ付加情報詳細テーブルである。
【００７１】
実施の形態１で説明したように、ファイル選択部１で選択されたファイルのファイル名と拡張子により放送方式と選局先が決定される。
【００７２】
さらにファイル入力部２は、選択されたファイルの中身を取得し、ファイル識別部３に渡す。ファイル識別部３は、ファイルの中身から取得したファイルヘッダ＃１の記述が付加情報区別テーブル１５のファイルヘッダ＃１列に存在すれば、そのファイルヘッダ＃１に関連付けされた付加情報に対応する付加情報詳細テーブル１６〜１８を参照する。ファイル識別部３は、ファイルの中身から取得したファイルヘッダ＃２と付加情報詳細テーブル１６〜１８を参照し、前記決定された放送方式の選局先の放送における付加情報の詳細を取得することができる。
【００７３】
具体的な動作説明を行うために、図１３に示すファイルの具体例を用いる。ファイル名は「２」、拡張子は「１ＳＥＧ」、ファイルヘッダ＃１は「ＡＡＡ」、ファイルヘッダ＃２は「ＡＢ」となっている。
【００７４】
ユーザー操作によりファイル選択部１が図１３に示すファイルを選択すると、実施の形態１で説明したように、ファイル名が「２」、拡張子が「１ＳＥＧ」という情報から、ワンセグＤＴＶのチャネル２の視聴を行うように放送受信装置が動作する。
【００７５】
さらにファイル入力部２は、選択されたファイルの中身を取得し、ファイル識別部３に渡す。ファイル識別部３は、ファイルの中身から、ファイルヘッダ＃１が「ＡＡＡ」、ファイルヘッダ＃２が「ＡＢ」という情報を取得する。ファイル識別部３は、ファイルヘッダ＃１である「ＡＡＡ」が付加情報区別テーブル１５のファイルヘッダ＃１列に存在することを確認する。そして「ＡＡＡ」に対応する付加情報の種類である「２カ国語放送」という情報を取得する。ファイル識別部３は、「２カ国語放送」に対応した付加情報詳細テーブル１６を参照し、ファイルヘッダ＃２である「ＡＢ」がファイルヘッダ＃２列に存在することを確認する。そして「ＡＢ」に対応する２カ国語放送の種類である「日本語と英語」という情報を取得する。
【００７６】
以上の手順により、ワンセグＤＴＶ放送のチャネル２を視聴し、さらにその放送が日本語と英語の２カ国語放送であることが分かる。
【００７７】
以上のように、本実施の形態によれば、ファイルの中身のファイルヘッダ＃１、ファイルヘッダ＃２という情報を利用することで、ユーザーが視聴したい放送の付加情報を取得することを可能にしている。
【００７８】
これにより、既存のメディア再生ソフトウエアでテレビやラジオなどの放送を視聴する機能を実現するに際して、ファイルの情報と視聴したい放送の付加情報を関連付け、簡単に付加情報の内容を知ることが可能になる。
【００７９】
なお、本実施の形態では、ファイルの中身のファイルヘッダ＃１とファイルヘッダ＃２から放送の付加情報を決定しているが、本発明は、その方法に限定されるものではなく、ファイルに付加する情報から同様の目的が達せられるなら、どのようなものであってもよい。
【００８０】
（実施の形態４）
次に、本発明の実施の形態４における放送受信装置について説明する。本実施の形態においては、実施の形態１の図１〜図６が援用される。
【００８１】
図１４は、実施の形態４において、ファイル選択部１が選択したファイルと、そのファイルが選択された回数を関連付けるためのファイル選択頻度テーブル１９の一例を示す。
【００８２】
実施の形態１で説明したように、ファイル選択部１で選択されたファイルのファイル名と拡張子により放送方式と選局先が決定される。
【００８３】
さらにファイル選択部１は、選択されたファイルがファイル選択頻度テーブル１９のファイル列に存在するかどうか確認する。もし存在すれば、そのファイルに対応した選択頻度を１インクリメント（＋１）する。もし存在しなければ、ファイル選択頻度テーブル１９のファイル列に選択されたファイルの行を追加し、その追加したファイルに対応する選択頻度を「１」に設定する。
【００８４】
以上の手順により、選択頻度テーブル１９を参照することで選択したファイルの選択頻度を知ることができる。
【００８５】
以上のように、本実施の形態によれば、ファイルの選択回数を管理することでファイルの選択頻度を把握し、選択頻度の高いファイルを特定することを可能にしている。
【００８６】
これにより、選択頻度の高いファイルをあらかじめ特定することで、メディア再生用ソフトウエアの起動時に、ユーザーの嗜好に合った放送方式および選局先を自動的に選択して視聴したり、お気に入りのファイルとして区別したりすることが可能になる。
【００８７】
（実施の形態５）
次に、本発明の実施の形態５における放送受信装置について説明する。本実施の形態においては、実施の形態１の図１〜図６が援用される。
【００８８】
図１５は、実施の形態５における選局部４が受信可能なワンセグＤＴＶの選局先をサーチした結果の選局先リスト２０の一例を示す。図１６は、サーチした結果の選局先リスト２０に対応するファイル名を関連付けた対応表２１の一例を示す。
【００８９】
選局部４は、放送方式毎に現在受信可能な選局先を検索し、検索した結果の選局先リスト２０を作成する。ファイル識別部３は、選局部４から選局先リスト２０を取得し、その選局先毎に、ファイル識別部３が選局先を識別することができる形式のファイルを作成する。
【００９０】
以後、ユーザーは、作成したファイルを選択すると、実施の形態１で説明した手順と同様に、検索した結果の選局先を視聴することが可能になる。
【００９１】
具体的な動作説明を行うために、ワンセグＤＴＶにおける具体例を用いる。
【００９２】
選局部４は、現在受信可能なワンセグＤＴＶの選局先を検索した結果、図１５に示す選局先リスト２０を取得したとする。ファイル識別部３は、選局先リスト２０を選局部４から取得する。そして選局先リスト２０に示される選局先毎にファイルを作成する。このとき作成するファイルは、ファイル識別部３が選局先を識別することができる形式で作成する。選局先とファイル識別部３が作成したファイルの対応表２１のようになる。
【００９３】
以後、ユーザーは、ファイル識別部３が作成した対応表２１にあるファイル「１．１ＳＥＧ」を選択したとすれば、実施の形態１で説明した手順と同様に、ワンセグＤＴＶのチャネル１を視聴することが可能になる。
【００９４】
以上のように、本実施の形態によれば、放送方式毎に検索した選局先をファイル識別部３が識別できる形式のファイルとして作成しておくもので、以後、ユーザーが前記の作成したファイルを選択することで対応する選局先を自動的に選局することを可能にしている。これにより、放送方式毎に選局先が不明であっても、一度選局先を検索した結果をファイル化しておけば、以後、ファイルを選択することで選局が可能になる。
【産業上の利用可能性】
【００９５】
本発明の放送受信装置は、ＯＡ機器や家電機器といった各種機器において、テレビやラジオなどの放送を選局するための構成簡易にして操作容易な技術として有用である。
【図面の簡単な説明】
【００９６】
【図１】本発明の実施の形態１〜５における放送受信装置の構成を示すブロック図
【図２】本発明の実施の形態１，３〜５における放送受信装置での放送方式対応テーブルの例示図
【図３】本発明の実施の形態１〜５における放送受信装置での選局対応テーブルの例示図
【図４】本発明の実施の形態１〜５における放送受信装置での再生制御対応テーブルの例示図
【図５】本発明の実施の形態１における放送受信装置の動作を示すフローチャート
【図６】本発明の実施の形態１における放送受信装置での動作説明のためのファイルの例示図
【図７】本発明の実施の形態２における放送受信装置での放送方式対応テーブルの例示図
【図８】本発明の実施の形態２における放送受信装置の動作を示すフローチャート
【図９】本発明の実施の形態２における放送受信装置での動作説明のためのファイルおよびディレクトリの例示図
【図１０】本発明の実施の形態３における放送受信装置でのファイルの中身の構成の例示図
【図１１】本発明の実施の形態３における放送受信装置での付加情報の種類を関連付けるための付加情報区別テーブルの例示図
【図１２】本発明の実施の形態３における放送受信装置での付加情報の種類別に存在する付加情報詳細テーブルの例示図
【図１３】本発明の実施の形態３における放送受信装置での動作説明のためのファイルの例示図
【図１４】本発明の実施の形態４における放送受信装置でのファイル選択頻度テーブルの例示図
【図１５】本発明の実施の形態５における放送受信装置でのワンセグＤＴＶの検索結果の選局先リストの例示図
【図１６】本発明の実施の形態５における放送受信装置でのワンセグＤＴＶの検索結果のファイルの対応表の例示図
【符号の説明】
【００９７】
１  ファイル選択部
２  ファイル入力部
３  ファイル識別部
４  選局部
５  信号入力部
６  再生制御部
７  再生手順制御部
８  ビデオ出力部
９  オーディオ出力部
１０，１４  放送方式対応テーブル
１１  ワンセグＤＴＶ用選局対応テーブル
１２  ＦＭラジオ用選局対応テーブル
１３  再生制御対応テーブル
１５  付加情報区別テーブル
１６〜１８  付加情報詳細テーブル
１９  ファイル選択頻度テーブル
２０  選局先リスト
２１  ファイル対応表
【図１】
2007116223.tif 000003
【図２】
2007116223.tif 000004
【図３】
2007116223.tif 000005
【図４】
2007116223.tif 000006
【図５】
2007116223.tif 000007
【図６】
2007116223.tif 000008
【図７】
2007116223.tif 000009
【図８】
2007116223.tif 000010
【図９】
2007116223.tif 000011
【図１０】
2007116223.tif 000012
【図１１】
2007116223.tif 000013
【図１２】
2007116223.tif 000014
【図１３】
2007116223.tif 000015
【図１４】
2007116223.tif 000016
【図１５】
2007116223.tif 000017
【図１６】
2007116223.tif 000018